(57)【特許請求の範囲】
【請求項１】
湾曲した溝が形成されている軒どいと、筒状の竪どいとを備えるケーブル敷設用雨どいであって、
ケーブルが通されると該ケーブルを保持し、該ケーブルの貫通方向と交差する方向の断面形状が略Ｃ字状に湾曲し、湾曲した部分により、該ケーブルを入れるための開口が形成されている複数の保持部と、
前記保持部のケーブルの貫通方向が前記軒どいに沿うように、かつ、前記軒どいの縁から前記保持部が突き出るように、前記保持部と前記軒どいの縁との間にそれぞれ設けられている板状の台部と、
を備えることを特徴とするケーブル敷設用雨どい。
【請求項２】
前記竪どいには前記保持部が設けられ、
前記保持部のケーブルの貫通方向が前記竪どいに沿うように、かつ、前記竪どいの外周面から前記保持部が突き出るように、前記保持部と前記外周面との間に、板状の台部が設けられている、
ことを特徴とする請求項１に記載のケーブル敷設用雨どい。
【請求項３】
前記台部は、前記保持部が略Ｃ字状に湾曲した部分の縁に設けられている、
ことを特徴とする請求項１または２に記載のケーブル敷設用雨どい。
【発明の詳細な説明】
【技術分野】
【０００１】
この発明は、ケーブルを建物に敷設するケーブル敷設用雨どいに関する。
【背景技術】
【０００２】
ケーブルには光ケーブルがあり、この光ケーブルは、ＦＴＴＨ（Ｆｉｂｅｒ  Ｔｏ  Ｔｈｅ  Ｈｏｍｅ）工事で家庭内に引き込まれる。光ケーブルを建物に敷設するためには各種の方式があるが（特許文献１を参照）、図１１に示すような方式が一般的である。つまり、電柱１００に架設されている光ケーブル幹線１１０から光ケーブル１１１を分岐部１２０で分岐し、建物２００の引き留め部３０１により、適度な張力を光ケーブル１１１に与えて光ケーブル１１１を引き留める。引き留め部３０１としては、引き留め金具など各種のものが用いられる。この後、光ケーブル１１１は、引き込み部３０２まで敷設され、引き込み部３０２から建物２００の内部に引き込まれる。
【特許文献１】特開２００２−２８１６２８号公報
【発明の開示】
【発明が解決しようとする課題】
【０００３】
ところで、光ケーブルの従来の敷設方法には次の課題がある。つまり、引き留め部３０１で光ケーブル１１１を引き留めた後、引き留め部３０１から引き込み部３０２まで離れている場合、光ケーブル１１１を建物２００の外壁に配線して引き込み部３０２まで延長する必要がある。このとき、光ケーブル１１１を固定する固定具３０３を外壁に離して設けるが、固定具３０３がネジ等によって外壁に取り付けられる。この結果、固定具３０３の取り付けなどの、建物２００に対する配線工事が必要となり、また、外壁に配線した光ケーブル１１１や、配線に用いた固定具３０３により、建物２００の美観も損なう。
【０００４】
この発明は、前記の課題を解決し、光ケーブルの敷設の際に余分な配線工事を不要にし、また、建物の美観を損なうことなく光ケーブルの敷設を可能にする、ケーブル敷設用雨どいを提供することにある。
【課題を解決するための手段】
【０００５】
前記課題を解決するために、請求項１の発明は、湾曲した溝が形成されている軒どいと、筒状の竪どいとを備えるケーブル敷設用雨どいであって、ケーブルが通されると該ケーブルを保持し、該ケーブルの貫通方向と交差する方向の断面形状が略Ｃ字状に湾曲し、湾曲した部分により、該ケーブルを入れるための開口が形成されている複数の保持部と、前記保持部のケーブルの貫通方向が前記軒どいに沿うように、かつ、前記軒どいの縁から前記保持部が突き出るように、前記保持部と前記軒どいの縁との間にそれぞれ設けられている板状の台部と、を備えることを特徴とするケーブル敷設用雨どいである。
【０００６】
請求項１の発明によれば、軒どいに対して保持部と台部とにより、ケーブルを保持する。つまり、軒どいに沿ってケーブルが敷設される。
【０００７】
請求項２の発明は、請求項１に記載のケーブル敷設用雨どいにおいて、前記竪どいには前記保持部が設けられ、前記保持部のケーブルの貫通方向が前記竪どいに沿うように、かつ、前記竪どいの外周面から前記保持部が突き出るように、前記保持部と前記外周面との間に、板状の台部が設けられている、ことを特徴とする。
【０００８】
請求項３の発明は、請求項１または２に記載のケーブル敷設用雨どいにおいて、前記台部は、前記保持部が略Ｃ字状に湾曲した部分の縁に設けられている、ことを特徴とする。
【発明の効果】
【０００９】
請求項１の発明によれば、保持部および台部を軒どいに設けることにより、軒どいを用いてケーブルを敷設することができる。これにより、ケーブルを敷設する際に余分な配線工事を不要にすることができ、建物の美観が損なわれることを防ぐことができる。しかも、請求項１の発明によれば、合成樹脂の成型等によって、ケーブルを保持するための保持部および台部と、軒どいとを一体で作ることができる。
【００１０】
請求項２の発明によれば、保持部および台部が竪どいに設けられているので、竪どいを用いてケーブルを敷設することができる。これにより、ケーブルを敷設する際に余分な配線工事を不要にすることができ、また、建物の美観が損なわれることを防ぐことができる。しかも、請求項２の発明によれば、合成樹脂の成型等によって、ケーブルを保持するための保持部および台部と、竪どいとを一体で作ることができる。
【００１１】
請求項３の発明によれば、保持部が略Ｃ字状に湾曲した部分の縁に台部が設けられているので、保持部と台部とが連続した構成にすることができる。
【発明を実施するための最良の形態】
【００１２】
つぎに、この発明について図面を用いて詳しく説明する。
【００１３】
（実施の形態１）
この実施の形態では、図１に示すように、建物２００に設置されているケーブル敷設用雨どいを用いて、引き留め部３０１で引き留められた光ケーブル１１１を、建物２００の引き込み部３０２まで敷設する。ケーブル敷設用雨どいは、軒どい１１、１４と、集水器１２、１５と、竪どい１３、１６と、後述するケーブル敷設用固定具とを備えている。また、ケーブル敷設用雨どいは、雨どい取り付け具によって建物２００に取り付けられている。この雨どい取り付け具には、軒どい１１、１４を受けて固定する受け具２１と、竪どい１３、１６をつかんで固定するつかみ具２２とがある。軒どい１１は、建物２００の屋根２０1に降った雨などを受けるものであり、図２に示すように、長手方向に対して交差する方向に湾曲している。これにより、屋根２０１からの雨水などを受ける溝１１Ａが形成されている。
【００１４】
軒どい１１には、ケーブル敷設用固定具（以下、単に固定具という）３１が設けられている。固定具３１は、図３と図４とに示すように、保持部３１Ａと台部３１Ｂとで形成されている。保持部３１Ａは、長手方向に交差する断面形状がＣ字状に湾曲し、Ｃ字状の開口部分３１Ａ１が、光ケーブル１１１を出し入れする部分である。保持部３１ＡのＣ字状の一方の縁は、板状の台部３１Ｂによって支えられ、かつ、台部３１Ｂを介して軒どい１１に設けられている。このとき、台部３１Ｂは軒どい１１の縁に設けられている。台部３１Ｂには貫通孔３１Ｃが開けられ、かつ、台部３１Ｂと向かい合う保持部３１Ａの縁近傍にも貫通孔３１Ｃが開けられている。貫通孔３１Ｃは、保持部３１Ａを通った光ケーブル１１１を固定するために、固定用の線材を通すためのものであり、固定用の線材としては、針金など各種のものがある。
【００１５】
こうした固定具３１は、軒どい１１に離されて複数設けられている。また、軒どい１１と固定具３１とは、合成樹脂の成型によって一体で作られている。
【００１６】
固定具３１が設けられている軒どい１１は、受け具２１によって受けられて、屋根２０１の軒先に固定されている。先の図４に示すように、受け具２１は、受け部２１Ａと首部２１Ｂと引っ掛け部２１Ｃとで形成されている。受け部２１Ａは、軒どい１１を受け止めるものであり、このために、軒どい１１と同じように湾曲している。首部２１Ｂは、受け部２１Ａを支えるために、その一端が受け部２１Ａに取り付けられている。また、首部２１Ｂの他端は屋根２０１の軒先などに取り付けられる。引っ掛け部２１Ｃは、Ｌ字状に加工され、受け部２１Ａの両方の縁に設けられている。引っ掛け部２１Ｃは、軒どい１１を受け部２１Ａに固定する。
【００１７】
集水器１２は軒どい１１に設けられ、かつ、竪どい１３の一端に取り付けられている。集水器１２は、軒どい１１を流れてきた雨水などを竪どい１３に流す。
【００１８】
竪どい１３は、図５に示すように、集水器１２からの雨水などを筒状の内側に流す。竪どい１３の外周面１３Ａには、光ケーブル１１１を保持して固定するために、複数の固定具３１が離されて設けられている。竪どい１３と固定具３１とは、合成樹脂の成型によって一体で作られている。
【００１９】
固定具３１が設けられている竪どい１３は、つかみ具２２によってつかまれ、建物２００の外壁に固定されている。つかみ具２２は、つかみ部２２Ａと首部２２Ｂとで形成されている。つかみ部２２Ａは、竪どい１３をつかむものであり、このために、竪どい１３と同じように円形をし、かつ、ピン２２Ｃによって開閉可能である。首部２２Ｂは、つかみ部２２Ａを一端で支える。また、首部２２Ｂの他端は建物２００の外壁に取り付けられる。
【００２０】
以上の軒どい１１、集水器１２、および竪どい１３は、この実施の形態では建物２００の２階部分に設置されている。同様に、１階部分の屋根２０２からの雨水などを導いて地面側に流すために、軒どい１４、集水器１５、および竪どい１６が設置され、軒どい１４および竪どい１６には複数の固定具３１が離されて設けられている。
【００２１】
この実施の形態によるケーブル敷設用雨どいは以上の構成である。つぎに、ケーブル敷設用固定具３１が設けられているケーブル敷設用雨どいを用いたケーブル敷設方法について説明する。建物２００の２階に取り付けられている引き留め部３０１で引き留められた光ケーブル１１１を、引き込み部３０２まで作業者が敷設する場合、この作業者は、引き留め部３０１から引き込み部３０２の間に位置する、軒どい１１の固定具３１の保持部３１Ａに光ケーブル１１１を通す。このとき、作業者は、保持部３１ＡのＣ字状の開口部分３１Ａ１から光ケーブル１１１を入れる。引き留め部３０１の上方に位置する最初の固定具３１から、引き込み部３０２の上方に位置する最後の固定具３１まで光ケーブル１１１を通した後、作業者は、各固定具３１の貫通孔３１Ｃに針金等を通して、光ケーブル１１１を固定具３１に固定する。そして、作業者は、最後の固定具３１を通した光ケーブル１１１を引き込み部３０２に導く。こうして、光ケーブル１１１が引き留め部３０１から引き込み部３０２まで敷設される。
【００２２】
また、引き込み部３０２が１階側の外壁に設けられている場合には、作業者は、引き留め部３０１から集水器１２の間に位置する、軒どい１１の固定具３１の保持部３１Ａに光ケーブル１１１を通す。また、集水器１２から集水器１５の間に位置する、竪どい１３に設けられている固定具３１の保持部３１Ａに光ケーブル１１１を通す。さらに、集水器１５から引き込み部３０２の間に位置する、軒どい１４の固定具３１の保持部３１Ａに光ケーブル１１１を通す。この後、作業者は、各固定具３１の貫通孔３１Ｃに針金等を通して、光ケーブル１１１を固定具３１に固定する。そして、作業者は、最後の固定具３１を通した光ケーブル１１１を引き込み部３０２に導く。こうして、光ケーブル１１１は、２階側の引き留め部３０１から、１階側の引き込み部３０２まで敷設される。
【００２３】
さらに、光ケーブル１１１を敷設する際に、軒どい１１と軒どい１１とが交差している場合に、図６に示すように、軒どい１１と軒どい１１との間が曲がり部１４で接合されているときには、固定具３１が離されて設けられているので、光ケーブル１１１に対して負担がかからない曲げ半径、つまり適切な曲げ半径を確保することができる。また、光ケーブル１１１を１階に敷設する際に、１階側では軒どい１４の間に集水器１５が設けられ、かつ、２階側の竪どい１３が集水器１５に入り込んでいるが、軒どい１４に固定具３１が離されて設けられているので、竪どい１３および集水器１５に光ケーブル１１１をかけ渡すことができ、かつ、光ケーブル１１１に対して負担がかからない曲げ半径、つまり適切な曲げ半径を確保することができる。
【００２４】
ところで、後日、軒どい１１、１４や竪どい１３、１６の破損などにより、その一部を交換する場合、作業者は、破損部分の固定具３１の貫通孔３１Ｃを通している針金等を切断し、保持部３１Ａの開口部分３１Ａ１から光ケーブル１１１を取り出し、破損部分を交換する。この後、作業者は、保持部３１Ａの開口部分３１Ａ１から光ケーブル１１１を入れ、固定具３１の貫通孔３１Ｃに針金等を通して、光ケーブル１１１を固定具３１に固定する。つまり、この実施の形態によれば、軒どい１１、１４や竪どい１３、１６が破損しても、光ケーブル１１１を切断することなく、破損部分だけを簡単に交換可能にする。
【００２５】
この実施の形態により、光ケーブル１１１を引き込み部３０２まで配線する、外壁利用の配線工事を不要にすることができ、かつ、光ケーブル１１１を建物２００の外壁に配線する必要がないので、建物２００の美観を保つことができる。また、この実施の形態により、光ケーブル１１１を敷設する際に、固定具３１の保持部３１Ａに光ケーブル１１１を通し、この後、固定具３１の貫通孔３１Ｃに針金等を通して固定するだけであるので、従来の配線工事、つまり、固定具３０３（図１１）を光ケーブル１１１に通し、固定具３０３を取り付けるための孔を外壁に設け、固定具３０３をネジなどで固定するという作業に比べて、作業性を向上させることができる。
【００２６】
なお、この実施の形態では、軒どい１１の一方の縁に固定具３１を設けたが、軒どい１１の他方の縁に固定具３１を設けてもよい。また、軒どい１１の外周面に固定具３１を設けてもよい。
【００２７】
（実施の形態２）
この実施の形態では、雨どいを建物２００に取り付ける雨どい取り付け具を用いて、引き留め部３０１で引き留められた光ケーブル１１１を引き込み部３０２まで敷設する。雨どいは実施の形態１と同じであるので、この実施の形態の説明では、同一の参照符号を付けてその説明を省略する。この実施の形態では、実施の形態１の雨どい取り付け具の代わりに、ケーブル敷設用雨どい取り付け具を用いる。ケーブル敷設用雨どい取り付け具には、ケーブル敷設用受け具とケーブル敷設用つかみ具とがある。
【００２８】
ケーブル敷設用受け具は、図８に示すように、先に説明した受け具２１（図４）の首部２１Ｂに、同じく先に説明した固定具３１（図３）を設けたものである。このとき、固定具３１の長手方向が首部２２Ｂの長手方向に対して交差するように、受け具２１に固定具３１が配置されている。
【００２９】
ケーブル敷設用つかみ具は、図９に示すように、先に説明したつかみ具２２（図５）の首部２２Ｂに、同じく先に説明した固定具３１（図３）を設けたものである。このとき、固定具３１の長手方向が首部２２Ｂの長手方向に対して上下方向に交差するように、つかみ具２２に固定具３１が配置されている。
【００３０】
こうしたケーブル敷設用受け具とケーブル敷設用つかみ具とを用いても、実施の形態１と同様に光ケーブル１１１を敷設することができる。そして、光ケーブル１１１の敷設の際に余分な配線工事を不要にし、また、建物の美観を損なうことを防ぐことができる。
【００３１】
なお、この実施の形態では、ケーブル敷設用受け具の首部２１Ｂに固定具３１を設けたが、受け部２１Ａの縁に固定具３１を設けてもよく、また、受け部２１Ａの外周面に固定具３１を設けてもよい。また、この実施の形態では、ケーブル敷設用つかみ具の首部２２Ｂに固定具３１を設けたが、固定具３１は、つかみ部２２Ａの外周面に設けてもよい。
【００３２】
以上、この発明の実施形態１、２を詳述してきたが、具体的な構成は各実施形態に限られるものではなく、この発明の要旨を逸脱しない範囲の設計の変更等があっても、この発明に含まれる。たとえば、各実施の形態では、光ケーブルの敷設について説明したが、この発明は他にアンテナのケーブル、電力ケーブル、電話線などの各種のケーブルにも適用可能である。
【００３３】
各実施の形態では、軒どい１１、１４、竪どい１３、１６に対して固定具３１を一体で設けたが、固定具３１を別体で作り、さらに、この固定具３１の台部３１Ｂの先端をＬ字状やＴ字状に加工し、この先端に接着剤等を用いて、台部３１Ｂを軒どい１１、１４、竪どい１３、１６に固定してもよい。受け具２１、つかみ具２２についても同様である。これにより、既存の軒どい、竪どい、受け具、つかみ具を利用可能にすることができ、また、建物に既に設置されている軒どい、竪どい、受け具、つかみ具も利用可能にすることができる。さらに、必要に応じて必要な箇所にのみ固定具を配設することができ、これにより、ケーブルの敷設場所や敷設状況などに応じた適切かつ迅速な敷設が可能となる。
【００３４】
また、図１０（ａ）に示すように、Ｓ字状になるように保持部３１Ａを軒どい１１に配置し、台部３１Ｂにより保持部３１Ａの縁を軒どい１１の縁に一体または別体で取り付けてもよい。また、図１０（ｂ）に示すように、軒どい１１の外周面に対して、保持部３１Ａを軒どい１１と背中合わせに配置し、台部３１Ｂにより保持部３１Ａを軒どい１１に一体または別体で取り付けてもよい。軒どい１４や竪どい１３、１６についても同様である。
【００３５】
各実施の形態では、軒どいの断面形状が半円形であり、竪どいの断面形状が円形であったが、この発明は、他の形状として角形など各種の形状のものに適用が可能である。また、固定具３１の貫通孔３１Ｃの数も各実施の形態に限定されることはない。
【図面の簡単な説明】
【００３６】
【図１】この発明の実施の形態１を説明する説明図である。
【図２】軒どいを示す斜視図である。
【図３】固定具を拡大した様子を示す斜視図である。
【図４】図２のＩ−Ｉ断面を示す断面図である。
【図５】竪どいを拡大した様子を示す斜視図である。
【図６】光ケーブルの敷設の例を示す斜視図である。
【図７】光ケーブルの敷設の例を示す斜視図である。
【図８】この発明の実施の形態２に用いられるケーブル敷設用受け具を示す斜視図である。
【図９】この発明の実施の形態２に用いられるケーブル敷設用つかみ具を示す斜視図である。
【図１０】実施の形態１、２の変形例を示す断面図であり、図１０（ａ）は一変形例を示し、図１０（ｂ）は他の変形例を示す。
【図１１】従来の光ケーブル敷設方法を説明する説明図である。
【符号の説明】
【００３７】
１１、１４  軒どい（雨どい）
１１Ａ  溝
１２、１５  集水器
１３、１６  竪どい（雨どい）
１３Ａ  外周面
１４  曲がり部
２１  受け具（雨どい取り付け具）
２１Ａ  受け部
２１Ｂ  首部
２１Ｃ  引っ掛け部
２２  つかみ具（雨どい取り付け具）
２２Ａ  つかみ部
２２Ｂ  首部
２２Ｃ  ピン
３１  固定具（ケーブル敷設用固定具）
３１Ａ  保持部
３１Ａ１  開口部分
３１Ｂ  台部
３１Ｃ  貫通孔
１１１  光ケーブル
２００  建物
２０1、２０２  屋根
３０１  引き留め部
３０２  引き込み部
【図１】
0004326501.tif 000002
【図２】
0004326501.tif 000003
【図３】
0004326501.tif 000004
【図４】
0004326501.tif 000005
【図５】
0004326501.tif 000006
【図６】
0004326501.tif 000007
【図７】
0004326501.tif 000008
【図８】
0004326501.tif 000009
【図９】
0004326501.tif 000010
【図１０】
0004326501.tif 000011
【図１１】
0004326501.tif 000012